(57)【要約】【課題】選局サーチ情報を得るのに時間がかかった点を解決することを目的とする。【解決手段】高周波信号が入力される入力端子１２と、この入力端子１２に入力された信号が一方の入力に供給されるとともに他方の入力には発振器１７の出力が接続された混合器１６と、この混合器１６の出力に接続されたフィルタ１８と、このフィルタ１８の出力が接続された判定器１９と、この判定器１９の出力が接続されたメモリ２０とを備え、前記フィルタ１８の中心周波数は混合器１６から出力される中間周波数の帯域より狭く設定するとともに、前記中間周波数の帯域内を可変とし、このフィルタ１８からの出力レベルに基づいて判定器１９で入力端子１２から入力された前記高周波信号の種類を判定するものである。これにより、所期の目的を達成することができる。【選択図】図１
2007166257.tif 000002
【特許請求の範囲】
【請求項１】
高周波信号が入力される入力端子と、この入力端子に入力された信号が一方の入力に供給されるとともに他方の入力には発振器の出力が接続された混合器と、この混合器の出力に接続された第１のフィルタと、この第１のフィルタの出力が接続された判定器と、この判定器の出力が接続されたメモリとを備え、前記第１のフィルタの中心周波数は前記混合器から出力される中間周波数の帯域より狭く設定するとともに、前記中間周波数の帯域内を可変とし、この第１のフィルタからの出力レベルに基づいて前記判定器において前記入力端子から入力された前記高周波信号の種類を判定する選局サーチ装置。
【請求項２】
第１のフィルタは、複数個の固定フィルタで構成された請求項１に記載の選局サーチ装置。
【請求項３】
第１のフィルタは、中心周波数が可変可能なフィルタで構成された請求項１に記載の選局サーチ装置。
【請求項４】
入力端子と混合器の一方の入力との間にＡＧＣ増幅器と第２のフィルタをこの順に挿入し、前記混合器の出力から利得制御器を介して前記ＡＧＣ増幅器の制御端子へ接続された請求項１に記載の選局サーチ装置。
【請求項５】
請求項１に記載の混合器の出力に中間周波数を通過させる第３のフィルタを接続し、この第３のフィルタの出力を判定器の入力に接続した請求項１に記載の選局サーチ装置。
【発明の詳細な説明】
【技術分野】
【０００１】
本発明は、高周波信号をサーチする選局サーチ装置に関するものである。
【背景技術】
【０００２】
以下、従来の選局サーチ装置について説明する。従来の選局サーチ装置は、図６に示すように、入力された高周波信号を選局する電子チューナ１と、この電子チューナ１の出力に接続された復調部２と、この復調部２の出力に基づいて電子チューナ１を制御する選局制御部３とで構成されていた。なお、この復調部２には、デジタル放送信号の誤りを訂正する誤り訂正器４と、この誤り訂正器４の出力に接続された誤り検出器５が内蔵されており、この誤り検出器５の出力に基づいて、入力された高周波信号に含まれているデジタル放送波とアナログ放送波との判別を行っていた。
【０００３】
なお、この出願の発明に関連する先行技術文献情報としては、例えば、特許文献１が知られている。
【特許文献１】特開２００３−３３３４４１号公報
【発明の開示】
【発明が解決しようとする課題】
【０００４】
しかしながらこのような従来の選局サーチ装置は、選局サーチするに際して、誤り検出器５の出力に基づいて、デジタル放送波かアナログ放送波かを判定していた。そのため、選局の度にその誤り率を計算しなければならず、判定に時間がかかるという問題があった。
【０００５】
そこで本発明は、この問題を解決したもので、短時間で選局サーチ情報を得ることができる選局サーチ装置を提供することを目的としたものである。
【課題を解決するための手段】
【０００６】
この目的を達成するために本発明の選局サーチ装置は、高周波信号が入力される入力端子と、この入力端子に入力された信号が一方の入力に供給されるとともに他方の入力には発振器の出力が接続された混合器と、この混合器の出力に接続された第１のフィルタと、この第１のフィルタの出力が接続された判定器と、この判定器の出力が接続されたメモリとを備え、前記第１のフィルタの中心周波数は前記混合器から出力される中間周波数の帯域より狭く設定するとともに、前記中間周波数の帯域内を可変とし、この第１のフィルタからの出力レベルに基づいて前記判定器において前記入力端子から入力された前記高周波信号の種類を判定するものである。これにより、所期の目的を達成することができる。
【発明の効果】
【０００７】
本発明によれば、選局動作をする混合器の出力に接続された第１のフィルタの中心周波数は、前記混合器から出力される中間周波数の帯域より狭く設定するとともに、前記中間周波数の帯域内を可変とし、この第１のフィルタからの出力レベルに基づいて判定器において入力端子から入力された高周波信号の種類を判定するものである。
【０００８】
従って、第１のフィルタから出力される出力レベルに基づいて判定するので、従来のように、誤り訂正器で誤りを訂正して、その誤り率に基づいて判定するものに比べて短時間に入力端子へ入力された高周波信号の種類を判定することができる。
【０００９】
また、誤り訂正器が不要となるので、小型低価格化を実現することができる。
【発明を実施するための最良の形態】
【００１０】
以下、本発明の実施の形態について図面に基づいて説明する。
【００１１】
（実施の形態１）
図１は、本発明の実施の形態１における選局サーチ装置１０のブロック図である。図１において、１１はデジタル放送波やアナログ放送波等の高周波信号が入力されるアンテナであり、このアンテナ１１は入力端子１２に接続される。
【００１２】
この入力端子１２はアナログ放送波とデジタル放送波とを共に通過させるフィルタ１３の入力に接続されている。このフィルタ１３の出力はＡＧＣ（自動利得制御）増幅器１４の入力に接続されている。このＡＧＣ増幅器１４の出力は、選局されたチャンネルの周波数を通過させる第２のフィルタ１５（以後、フィルタ１５という）の入力に接続されており、このフィルタ１５の出力は混合器１６の一方の入力に接続されている。また、この混合器１６の他方の入力には、選局をするために可変周波数が出力される発振器１７の出力が接続されている。
【００１３】
混合器１６の出力は、この混合器１６から出力される中間周波数内において、中心周波数が可変するとともに、前記中間周波数より帯域幅の狭い帯域幅を有する第１のフィルタ１８（以後、フィルタ１８という）に接続されており、このフィルタ１８の出力は入力端子１２から入力された高周波信号の種類を判定する判定器１９の入力に接続されている。
【００１４】
ここで、フィルタ１８は、複数個の固定フィルタで構成しても良いし、中心周波数の可変可能な一個のフィルタで構成しても良い。何れにしてもその帯域幅は、約５００ＫＨｚであり、中間周波数内において、通過周波数が可変できるものであれば良い。
【００１５】
判定器１９の出力はメモリ２０に接続されている。２１は制御器であり、この制御器２１の出力は、フィルタ１８と判定器１９とＰＬＬ（フェーズロックループ）回路２２に接続されている。また、このＰＬＬ回路２２の出力は発振器１７の入力に接続されている。２３は選局データが入力されるデータ入力端子であり、制御器２１の入力に接続されている。
【００１６】
また、混合器１６の出力は利得制御器２４を介してＡＧＣ増幅器１４の制御端子１４ａに接続されている。
【００１７】
以上のように構成された選局サーチ装置１０について、以下にその動作を説明する。先ず、データ入力端子２３からのサーチ指令が入力されると、制御器２１は選局データを順次ＰＬＬ回路２２に向けて出力する。ＰＬＬ回路２２では、入力されたサーチ指令に基づいて発振器１７から出力される発振周波数を制御する。
【００１８】
一方、アンテナ１１（ケーブルであっても良い）に到来した高周波信号（デジタル放送波とアナログ放送波を含む）は、入力端子１２に入力される。この入力端子１２に入力された高周波信号は、デジタル放送波とアナログ放送波の帯域を通過させるフィルタ１３で、デジタル放送波とアナログ放送波以外の周波数を抑圧する。このフィルタ１３の出力はＡＧＣ増幅器１４でその増幅度が制御され、その出力はフィルタ１５で、主に選局データで指定されたチャンネルを通過させるフィルタ１５を介して混合器１６に入力される。
【００１９】
混合器１６では、ＡＧＣ増幅器１４の出力と発振器１７の出力とで選局され中間周波数に変換される。この混合器１６の出力は、利得制御器２４で中間周波数のレベルに対応してＡＧＣ増幅器１４の増幅度を制御する。従って、入力端子１２に入力された高周波信号のレベルが弱電界から強電界まで、略一定のレベルとなるように混合器１６から出力されるレベルを制御する。
【００２０】
この混合器１６の出力は、図２に示すように、入力端子１２に入力される高周波信号の種類によって異なる波形を有している。即ち、３１は、デジタル放送波であり、３２はアナログ放送波である。３４はこれらの放送波の近傍にある不要な妨害信号である。
【００２１】
ここで、横軸３５は周波数（ＭＨｚ）であり、３５ｃはデジタル放送波３１及びアナログ放送波３２の中心周波数である。この中心周波数３５ｃは、例えば５０ＭＨｚとしている。また、３５ｄは入力端子１２から入力される高周波信号の帯域幅であり、６ＭＨｚの帯域幅を有している。縦軸３６は、混合器１６から出力される信号のレベルである。
【００２２】
図２に示すように、入力端子１２から入力される高周波信号は、以下に示す特徴を有している。即ち、デジタル放送波３１は、帯域幅３５ｄ内全般に渡って略同一のレベルで存在している。アナログ放送波３２は、帯域幅３５ｄの低い周波数域に映像搬送波３２ａを有しており、帯域幅３５ｄの高い周波数域に音声搬送波３２ｂを有している。この音声搬送波３２ｂのレベルは、映像搬送波３２ａのレベルより小さい。３４は、入力端子１２から入力される妨害信号の波形であり、この妨害信号３４の存在する場所は不定である。
【００２３】
このように高周波信号の種類によって特徴ある波形をしているので、この波形に注目して選別すれば、入力端子１２に入力された高周波信号の種類を判定することができる。
【００２４】
これを実現するため、混合器１６の出力に例えば帯域幅５００ＫＨｚ程度のフィルタ１８を３個用意する。そのうちの１つのフィルタ１８ａの中心周波数はアナログ放送波３２の映像搬送波３２ａと略等しくする。２個目のフィルタ１８ｂの中心周波数は、デジタル放送波３１及びアナログ放送波３２の中心周波数３５ｃと略等しくしている。３個目のフィルタ１８ｃの中心周波数は、アナログ放送波３２の音声搬送波３２ｂの周波数と略等しくする。
【００２５】
なお、このフィルタ１８は固定のフィルタでなくとも、中心周波数が可変できるフィルタであっても良い。また、フィルタ１８はフィルタ１８ａとフィルタ１８ｂの２個のフィルタ、または、フィルタ１８ｂとフィルタ１８ｃの２個のフィルタであってもデジタル放送波３１とアナログ放送波３２との判別は可能である。本実施の形態では判定精度を向上させるため、３個のフィルタ１８ａ、１８ｂ、１８ｃを用いた高周波信号の判定を行っている。
【００２６】
次に、判定器１９で行う高周波信号の判定について、図３を用いて説明する。デジタル放送波３１は、フィルタ１８ａ、フィルタ１８ｂ、フィルタ１８ｃの全てのフィルタ１８から出力を有している。この場合はデジタル放送波３１が入力されたと判定する。アナログ放送波３２は、フィルタ１８ａとフィルタ１８ｃに出力があり、フィルタ１８ｂには出力がない場合であり、この場合はアナログ放送波３２が入力されたと判定する。なお、このアナログ放送波３２の場合、フィルタ１８ａから出力されるレベルの方がフィルタ１８ｃから出力されるレベルより大きいという条件も入れることにより、より正確にアナログ放送波３２を判別することができる。
【００２７】
その他の組み合わせの場合は、全て妨害信号であり、放送波ではないと判定する。この妨害信号の場合には、以下の３つのパターンが存在する。即ち、妨害信号３４ａに示すようにフィルタ１８ａにのみ出力があり、その他のフィルタ１８ｂ、フィルタ１８ｃに出力がない場合と、妨害信号３４ｂに示すようにフィルタ１８ｂにのみ出力があり、その他のフィルタ１８ａ、フィルタ１８ｃに出力がない場合と、妨害信号３４ｃに示すようにフィルタ１８ｃにのみ出力があり、その他のフィルタ１８ａ、フィルタ１８ｂに出力がない場合とである。
【００２８】
以上のように本実施の形態においては、３個のフィルタ１８ａ、１８ｂ、１８ｃの論理積条件で高周波信号の種類を判別しているので、高速かつ正確に高周波信号の種類を判別することができる。
【００２９】
次に、２個のフィルタ１８ａとフィルタ１８ｂを用いた判定について述べる。デジタル放送波３１は、フィルタ１８ａ、フィルタ１８ｂの双方のフィルタ１８から出力があった場合であり、デジタル放送波３１が入力されたと判定する。アナログ放送波３２は、フィルタ１８ａに出力があり、フィルタ１８ｂには出力がない場合であり、アナログ放送波３２が入力されたと判定する。
【００３０】
なお、２個のフィルタ１８ａとフィルタ１８ｂを用いた場合には、妨害信号３４ａの判定はできない。
【００３１】
また、２個のフィルタ１８ｂとフィルタ１８ｃを用いてデジタル放送波３１とアナログ放送波３２とを判定することもできる。即ち、デジタル放送波３１は、フィルタ１８ｂ、フィルタ１８ｃの双方のフィルタ１８から出力があった場合であり、デジタル放送波３１が入力されたと判定する。アナログ放送波３２は、フィルタ１８ｃに出力があり、フィルタ１８ｂには出力がない場合であり、アナログ放送波３２が入力されたと判定する。
【００３２】
なお、２個のフィルタ１８ｂとフィルタ１８ｃを用いた場合には妨害信号３４ｃの判定はできない。
【００３３】
以上のように、２個のフィルタ１８ａ、１８ｂ或いはフィルタ１８ｂ、１８ｃの論理積条件で高周波信号の種類を判別することができるので、３個のフィルタ１８ａ、１８ｂ、１８ｃを用いた場合に比べて小型化と低価格化を図ることができる。
【００３４】
図４は、３個の固定フィルタ或いは中心周波数可変のフィルタを用い、妨害信号３４ａ〜３４ｃの判定も可能なフィルタ１８のブロック図を示す。図４（ａ）は固定フィルタ１８ａ、１８ｂ、１８ｃで形成されるフィルタ１８であり、電子的な切替スイッチ４１ａと４１ｂとを用いて、この切替スイッチ４１ａ、４１ｂをフィルタ１８ａ、１８ｂ、１８ｃの入力と出力に夫々挿入してフィルタ１８ａ、１８ｂ、１８ｃを電子的に切り替えている。電子スイッチ４１ａ、４１ｂの制御は、制御器２１で制御している。この場合、通過周波数が固定であるので、安定した性能を得ることができる。
【００３５】
また、図４（ｂ）は、バリキャップダイオードを用いて中心周波数を可変させることができるフィルタ１８ｄの例を示している。このフィルタ１８ｄでは３段階の電圧を順次与えて夫々フィルタ１８ａ、１８ｂ、１８ｃに相当するフィルタ特性を有するフィルタ１８ｄを実現している。なお、この場合、３段階以上に分割することもできる。１８ｅは中心周波数を可変させる制御端子であり、制御器２１で制御する。この場合、フィルタ１８は一個で良いので、小型化を実現することができる。このように、フィルタ１８ａ、１８ｂ、１８ｃ或いはフィルタ１８ｄを用いて、その出力レベルに基づいて、図３に示すように入力端子１２から入力される高周波信号の種類を判定器１９で判定している。
【００３６】
このようにして判定された高周波信号は、高周波信号の種類毎にメモリ２０に格納される。即ち、制御器２１で高周波信号の全帯域をスキャンし、その地域において受信可能なデジタル放送波３１及びアナログ放送波３２の周波数を順次チャンネル番号と共に格納するものである。
【００３７】
以上説明したように、フィルタ１８から出力される出力レベルに基づいて判定するので、従来のように、誤り訂正器４で誤りを訂正して、その誤り率に基づいて判定するものに比べて短時間に高周波信号の種類を判定することができる。
【００３８】
また、誤り訂正器４と誤り検出器５が不要となるので、小型低価格化を実現することができる。
【００３９】
（実施の形態２）
図５は、実施の形態１で説明した選局サーチ装置１０を用いた電子チューナ４５のブロック図である。図５において、実施の形態１と同じものには同符号を付して説明を簡略化している。
【００４０】
実施の形態２における電子チューナ４５は、混合器１６の出力に接続された第３のフィルタ４６（以後、中間周波フィルタ４６という）と、この中間周波フィルタ４６の出力に接続された出力端子４７とで構成されている。この中間周波フィルタ４６の中心周波数は５０ＭＨｚであり、その帯域幅は６ＭＨｚである。
【００４１】
１９ａは、判定器であり、この判定器１９ａは中間周波フィルタ４６の出力が一方の入力に接続されている。この点において実施の形態１で説明した判定器１９と相違する。２１ａは制御器であり、この制御器２１ａは判定器１９ａを制御する点で実施の形態１で説明した制御器２１と相違する。
【００４２】
以上のように構成された電子チューナ４５について、以下にその動作を説明する。この電子チューナ４５においても、実施の形態１と同様に選局サーチを実施し、その選局サーチの結果をメモリ２０に格納するものである。また、この選局サーチ時において、中間周波フィルタ４６の出力を判定器１９ａに入力しているので、以下に説明するように、選局サーチ時間を短縮することができる。
【００４３】
即ち、制御器２１ａで発振器１７の発振周波数をスキャンして、中間周波フィルタ４６の出力が存在するところでスキャンを停止する。そして、この周波数において、入力端子１２に入力された高周波信号の種類を実施の形態１と同様の基準で判定する。このように中間周波フィルタ４６から出力された中間周波数を用いることにより、中間周波フィルタ４６の出力が存在しないチャンネルはスキップすることができる。従って、選局サーチに要する時間を短縮することができる。
【００４４】
また、実施の形態２においては、混合器１６の出力は中間周波フィルタ４６を介して出力端子４７に接続されているので、電子チューナ４５として使用することができる。
【００４５】
即ち、操作者は視聴したいチャンネルの番号をデータ入力端子２３から入力する。そうすると、制御器２１ａはＰＬＬ回路２２を介して発振器１７の発振周波数を該当する発振周波数に制御する。これにより、入力端子１２から入力された高周波信号が混合器１６と中間周波フィルタ４６とで選局されて、出力端子４７から出力されるものである。
【００４６】
以上説明したように、本実施の形態における電子チューナ４５は、選局サーチ装置も内蔵しているので、その地域で受信可能なチャンネルのみ効率的に視聴することができる。
【産業上の利用可能性】
【００４７】
本発明の選局サーチ装置は、短時間に選局サーチ情報を得ることができるので、電子チューナを用いた携帯機器等に適用することができる。
【図面の簡単な説明】
【００４８】
【図１】本発明の実施の形態１における選局サーチ装置のブロック図
【図２】同、高周波信号の波形図
【図３】同、判定説明図
【図４】同、フィルタのブロック図であり、（ａ）は同、固定フィルタのブロック図、（ｂ）は同、可変フィルタのブロック図
【図５】同、実施の形態２における電子チューナのブロック図
【図６】従来の選局サーチ装置とそれを用いた電子チューナのブロック図
【符号の説明】
【００４９】
１０  選局サーチ装置
１２  入力端子
１６  混合器
１７  発振器
１８  フィルタ
１９  判定器
２０  メモリ
２１  制御器
【図１】
2007166257.tif 000003
【図２】
2007166257.tif 000004
【図３】
2007166257.tif 000005
【図４】
2007166257.tif 000006
【図５】
2007166257.tif 000007
【図６】
2007166257.tif 000008